(57)【要約】【課題】粉砕骨を、省スペースにて管理・保管できるようにすること。【解決手段】内部が中空とされるとともに該中空内部に連通する開口６を一方端に有する有底四角箱状とされた本体ケース２と、前記開口６に嵌着されることで該開口６を閉塞する蓋体３とから成り、前記中空内部の空間を、粉砕骨を収納するための粉砕骨収納部１６と該粉砕骨に関する記録媒体を収納するための記録媒体収納部１５とに区分ける仕切板８を備えるとともに、前記本体ケース２の狭幅となる方向において対向する両側面（２ａ，３ａ、２ｂ，３ｂ）を、ほぼ平坦かつ面一とする。【選択図】図１
0003130649.tif 000002
【実用新案登録請求の範囲】
【請求項１】
内部が中空とされるとともに該中空内部に連通する開口を一方端に有する有底四角箱状とされた本体ケースと、前記開口に嵌着されることで該開口を閉塞する蓋体とから成る粉砕骨収納箱であって、
前記中空内部の空間を、粉砕骨を収納するための粉砕骨収納部と該粉砕骨に関する記録媒体を収納するための記録媒体収納部とに区分ける仕切板を備えるとともに、
前記本体ケースの狭幅となる方向において対向する両側面を、ほぼ平坦かつ面一としたことを特徴とする粉砕骨収納箱。
【請求項２】
前記本体ケースの広幅となる方向の一方の側面に、前記粉砕骨収納部に収納される粉砕骨に関する情報を表示するための情報表示部を有することを特徴とする請求項１に記載の粉砕骨収納箱。
【請求項３】
少なくとも前記本体ケースを、不透明部材にて形成したことを特徴とする請求項１または２に記載の粉砕骨収納箱。
【請求項４】
前記仕切板は、粉砕骨を内在する非通気性の骨袋を保持するための保持部を備えるとともに、前記本体ケースの対向する内側面に前記仕切板の端部と係合するスライド溝部を備え、前記骨袋を保持部にて保持した仕切板を、前記本体ケースの中空内部にスライド挿入可能とされていることを特徴とする請求項１〜３のいずれかに記載の粉砕骨収納箱。
【請求項５】
前記本体ケースの広幅となる方向の一方の側面に、該粉砕骨収納箱を引き出すための引き出し部を備えたことを特徴とする請求項１〜４のいずれかに記載の粉砕骨収納箱。
【請求項６】
前記情報表示部が、前記本体ケースに着脱可能な情報表示板にて形成されていることを特徴とする請求項１〜５のいずれかに記載の粉砕骨収納箱。
【考案の詳細な説明】
【技術分野】
【０００１】
本考案は、火葬した遺骨や愛玩動物の骨等の粉砕骨を、省スペースにて管理・保管することのできる粉砕骨収納箱に関する。
【背景技術】
【０００２】
近年、遺骨の管理、特には、都市化による人的関係の希薄化と核家族化の進行により、無縁化した人の遺骨の引き取り手が現れるまでの管理責任を負う自治体等において、遺骨の管理場所の確保したり、故人に関する情報書類の管理など、これら遺骨の管理負担が大きな問題となってきている。
【０００３】
これら遺骨は、従来、陶器製の骨壺等に収納されて管理されており、これら骨壺を破損することなく保管するには、棚等に設置して保管する必要があるため、その保管に大きなスペースの保管庫を確保しなければならないことから、近年、限られた保管庫に、より多くの遺骨を保管できるようにするために、遺骨を粉砕する装置がある（例えば、特許文献１参照）。
【０００４】
【特許文献１】特開２００５−４０６８４号公報
【考案の開示】
【考案が解決しようとする課題】
【０００５】
これら装置により粉砕された遺骨は、粉砕前に比較してその収納に必要な容積を大幅に低減でき、限られた保管庫により多くの遺骨を保管することが可能となるが、これら多数の粉砕骨や故人の情報書類等を効率良く保管、管理できる保管容器が存在せず、粉砕によって減容積された効果が良好に発揮されないという問題があった。
【０００６】
本考案は、このような問題点に着目してなされたもので、火葬した遺骨や愛玩動物の骨等の粉砕骨を、省スペースにて管理・保管することのできる粉砕骨収納箱を提供することを目的とする。
【課題を解決するための手段】
【０００７】
上記課題を解決するために、本考案の請求項１に記載の粉砕骨収納箱は、
内部が中空とされるとともに該中空内部に連通する開口６を一方端に有する有底四角箱状とされた本体ケース２と、前記開口６に嵌着されることで該開口を閉塞する蓋体３とから成る粉砕骨収納箱１であって、
前記中空内部の空間を、粉砕骨を収納するための粉砕骨収納部１６と該粉砕骨に関する記録媒体を収納するための記録媒体収納部１５とに区分ける仕切板８を備えるとともに、
前記本体ケースの狭幅となる方向において対向する両側面（２ａ，３ａ、２ｂ，３ｂ）を、ほぼ平坦かつ面一としたことを特徴としている。
この特徴によれば、粉砕骨収納部に粉砕骨を収納し、記録媒体収納部に故人の情報書類等の記録媒体を収納して、これら粉砕骨と記録媒体とを合わせて保管・管理できるとともに、これら粉砕骨収納箱を成す本体ケースの狭幅となる方向において対向する両側面がほぼ平坦かつ面一であるので、これら粉砕骨と記録媒体とが収納された粉砕骨収納箱を冊子的に取り扱うことが可能となり、多数の粉砕骨収納箱を前記側面が当接するように配列することで、緻密に格納整理して保管できるようになり、よって、火葬した遺骨や愛玩動物の骨等の粉砕骨を、省スペースにて管理・保管することが可能となる。
【０００８】
本考案の請求項２に記載の粉砕骨収納箱は、請求項１に記載の粉砕骨収納箱であって、
前記本体ケース２の広幅となる方向の一方の側面（２ｃ）に、前記粉砕骨収納部１６に収納される粉砕骨Ｋに関する情報を表示するための情報表示部（表示プレート４）を有することを特徴としている。
この特徴によれば、蓋体を開放することなく、粉砕骨収納部に収納される粉砕骨に関する有る程度の情報を把握することができ、管理の利便性を向上できる。
【０００９】
本考案の請求項３に記載の粉砕骨収納箱は、請求項１または２に記載の粉砕骨収納箱であって、
少なくとも前記本体ケース２を、不透明部材にて形成したことを特徴としている。
この特徴によれば、保管されている粉砕骨や故人の情報書類等が外部から見えてしまうことを防止でき、これら粉砕骨や故人の情報書類等が目視できることに伴う不都合の発生を回避できる。
【００１０】
本考案の請求項４に記載の粉砕骨収納箱は、請求項１〜３のいずれかに記載の粉砕骨収納箱であって、
前記仕切板は、粉砕骨Ｋを内在する非通気性の骨袋（粉砕骨袋）を保持するための保持部（粘着部１０）を備えるとともに、前記本体ケース２の対向する内側面に前記仕切板８の端部と係合するスライド溝部９を備え、前記骨袋を保持部１０にて保持した仕切板８を、前記本体ケース２の中空内部にスライド挿入可能とされていることを特徴としている。
この特徴によれば、粉砕骨収納部への粉砕骨の収納並びに取り出しを、容易に行うことができる。
【００１１】
本考案の請求項５に記載の粉砕骨収納箱は、請求項１〜４のいずれかに記載の粉砕骨収納箱であって、
前記本体ケース２の広幅となる方向の一方の側面（２ｃ）に、該粉砕骨収納箱１を引き出すための引き出し部（舌部１１）を備えたことを特徴としている。
この特徴によれば、粉砕骨収納箱が並列格納されている状態においても、引き出し部を有することで、所望の粉砕骨収納箱を容易に引き出すことができる。
【００１２】
本考案の請求項６に記載の粉砕骨収納箱は、請求項１〜５のいずれかに記載の粉砕骨収納箱であって、
前記情報表示部（表示プレート４）が、前記本体ケース２に着脱可能な情報表示板（表示プレート４）にて形成されていることを特徴としている。
この特徴によれば、情報表示板（表示プレート４）を本体ケースから取外して、情報の書き込みや書き換え等を実施できるので、これら情報の書き込みや書き換え作業の作業性を向上できる。
【考案を実施するための最良の形態】
【００１３】
本考案の実施例を以下に説明する。
【実施例】
【００１４】
本考案の実施例を図面に基づいて説明すると、先ず図1は、本実施例における粉砕骨収納箱１の全体像を示す斜視図である。
【００１５】
本実施例の粉砕骨収納箱１は、図１に示すように、断面視長方形とされた縦長冊子状の箱体とされている。
【００１６】
本実施例の粉砕骨収納箱１は、その上端部を成す蓋体３と、該蓋体３が装着される本体ケース２とから主に構成されており、該本体ケース２の広幅となる方向の一側面である側面２ｃには、該本体ケース２に装着された表示プレート４により、該粉砕骨収納箱１内部に収納されている粉砕骨（遺骨）に関する情報、具体的には、該粉砕骨（遺骨）を個々に識別するための識別番号（ＩＤ）と、故人の氏名と、命日とが表示されるようになっており、該表示プレート４によって本発明における情報表示部が形成されている。
【００１７】
また、本体ケース２の側面２ｃの下方位置には、図４に示すように、これら粉砕骨収納箱１を収納棚２０に、本体ケース２の狭幅となる方向に並列して収納した場合においても、各粉砕骨収納箱１を容易に引き出しできるようにするための本発明における引き出し部となる舌部１１が、側面２ｃから突出するように設けられている。尚、本実施例では、これら舌部１１を可撓性を有する所定厚みのプラスチックシート部材を本体ケース２の下面に貼着することで、形成している。
【００１８】
この本実施例の粉砕骨収納箱１を成す本体ケース２は、図２に示すように、その内部が中空とされ、その下方端が底部とされた有底四角箱状であって、該底部と反対となる上端部が、その中空内部に繋がる開口６とされた縦型ケースとされている。
【００１９】
また、蓋体３も、本体ケース２と同様に、その内部が中空とされ、その上方端が底部を成す有底四角箱状とされているとともに、その該底部と反対となる下端部が、開口１３とされている。
【００２０】
そして、蓋体３の中空内部は、本体ケース２の開口６に設けられている嵌合部７の外周形状にほぼ合致するとともに、該嵌合部７を蓋体３の内部に収納できる形状とされており、これら嵌合部７に蓋体３を装着することで、本体ケース２の中空内部を略密閉状態として開口６を塞ぐことができるようになっている。尚、これら、蓋体３の装着において、本体ケース２の中空内部の空気を外部に排気させるための排気孔１４が、側面２ｃと対向する側面に設けられており、これら中空内部の空気が排気されないことにより、蓋体３が嵌合部７に装着しづらくなることを防止できるようになっている。
【００２１】
そして、本実施例の嵌合部７は、本体ケース２の側断面における外形よりもやや小さい外形とされることで、該嵌合部７に装着される蓋体３と本体ケース２の各側面、具体的には、蓋体３の側面３ａと本体ケース２の側面２ａ、側面３ａと対向する蓋体３の側面３ｂと本体ケース２の側面２ｂ、蓋体３の側面３ｃと本体ケース２の側面２ｃ、並びに側面３ｃと対向する蓋体３の側面３ｄと本体ケース２の側面２ｄとが、ほぼ面一となるようになっている。
【００２２】
このように、本体ケース２の狭幅となる方向の側面、具体的には、蓋体３の側面３ａと本体ケース２の側面２ａとで形成される側面と、蓋体３の側面３ｂと本体ケース２の側面２ｂとで形成される側面とを、ほぼ面一の平面とすることは、図４に示すように、これら狭幅となる方向に粉砕骨収納箱１を並列して収納棚２０に収納する際に、隣接する粉砕骨収納箱１との間に、無駄な空隙が形成されることがなく、収納棚２０に収納可能な粉砕骨収納箱１の数を向上できることから好ましい。
【００２３】
そして、これら本体ケース２と蓋体３とから成る粉砕骨収納箱１の大きさとしては、その幅広方向における側面形状の大きさ、つまり、蓋体３の側面３ａと本体ケース２の側面２ａとで形成される側面の大きさ形状が、Ａ４版用紙の大きさ程度とすることが好ましく、このようにすることで、Ａ４版用紙のファイルを収納する市販されている多数の収納棚を、粉砕骨収納箱１を収納するための収納棚２０として利用できるようになる。但し、本発明は、これに限定されるものではなく、これら側面形状の大きさをその他の用紙サイズ、例えばＢ５版サイズとしたり、用紙サイズ以外の所定サイズ、例えば２５０×２５０ｍｍの正方形の側面形状としても良い。
【００２４】
そして、側面３ｃと側面３ｄに該当する本体ケース２内部の側面、つまり、本体ケース２の広幅となる方向の対向する内側面には、図２に示すように、３本のスライド溝部９が開口６から底部方向に向けて、互いの面のスライド溝部９が対称状となるように形成されており、該スライド溝部９に仕切版８をスライド挿入することで、本体ケース２の中空内部が、書類等の記録媒体を収納するための記録媒体収納部１５と、粉砕骨Ｋが収納された非通気性であるポリエチレン製の粉砕骨袋を収納するための粉砕骨収納部１６に区分けられるようになっているともに、これら３本のスライド溝部９の内のどのスライド溝に仕切版８を挿入するかにより、記録媒体収納部１５と粉砕骨収納部１６との容積比率を、３段階に変更できるようになっている。
【００２５】
この本実施例の仕切版８の一面には、図３に示すように、その４つの隅部に、一面に離型紙を有する両面テープが貼着されることで粘着部１０が形成されており、これら粘着部１０の離型紙を取り除くことで、後述するように、粉砕骨Ｋを内在した粉砕骨袋を、これら粘着部１０に貼り付けて、保持できるようになっており、該粘着部１０によって本発明における保持部が形成されている。
【００２６】
このように、本実施例では、両面テープによる粘着部１０にて保持部を形成しているが、本発明はこれに限定されるものではなく、これら保持部は、粉砕骨袋を容易に保持できるものであればよく、例えば、粉砕骨袋の端部を係止できる係止溝等により保持部を形成しても良く、これら保持部の形態は、適宜に選択すれば良い。
【００２７】
ここで、これら粉砕骨収納箱１の厚み寸法、つまり、蓋体３の側面３ｃと本体ケース２の側面２ｃとで形成される側面の、本体ケース２における狭幅方向の寸法としては、これらが大きいと、収納効率が低下するので、可能な限り小さいことが望ましいが、該寸法が小さすぎると、粉砕骨収納部１６に粉砕骨袋を収納できなかったり、粉砕骨に関する記録媒体である、故人に関する書類や遺骨の火葬等に関する書類等やこれら書類の電子データを記憶したＣＤＲＯＭやメモリカード等の記録媒体を収納できなくなってしまうので、これらを好適に収納できる最小寸法であることが好ましく、具体的には、粉砕骨を収納した粉砕骨袋の容積としては、大きな成人であっても、２リットル以上の容積となることは希であるので、前述した約Ａ４版用紙の断面積において２リットル程度の容積を、粉砕骨収納部１６として確保できる寸法である３０ｍｍと、各種の記録媒体を収納するための寸法である１０ｍｍとから成る４０ｍｍの寸法に、側面２ａ，３ａと側面２ｂ，３ｂを成すケース材料の厚みを加算した寸法とすれば良く、本実施例では、約５０ｍｍとしている。
【００２８】
また、これら本体ケース２と蓋体３を形成する材料としては、これらの加工をし易いものであれば、各種のプラスチックや木材等、特にはアクリル板等を好適に使用することができるが、これら材料にあっては、該材料が透明材料であると、得られる粉砕骨収納箱１の内部が粉砕骨収納箱１の外部から目視できてしまい、記録媒体収納部１５に収納されている書類等が目視されてしまうことによる不都合の発生や、多数の遺骨が粉砕骨収納箱１の外部より目視できてしまうことによる違和感が生じる等の不都合が生じる場合があるので、これらの不都合を回避できることから、不透明な材料を使用することが好ましいとともに、従来より、これら箱体としては、漆塗りの箱等が、高級感があり重用されていることから、漆塗りに近い質感が得られることから、本実施例では、黒色のアクリル板材を使用している。
【００２９】
そして、本実施例の本体ケース２の側面２ｃは、図２に示すように、その他の側面に比較して厚肉の側面とされているとともに、側面２ｃの表面側に向かって幅狭となるテーパ形状を有するプレート装着溝を備えたプレート装着部５が、その端部が、嵌合部７と側面２ｃとの段部に露出するように形成されており、蓋体３の非装着時においてのみ、表示プレート４を嵌合部７と側面２ｃとの段部に露出した端部開口よりプレート装着部５に装着でき、蓋体３が装着された後は、これら表示プレート４の取外しが不能となるようになっている。
【００３０】
このように、プレート装着部５を形成して表示プレート４を着脱可能とすることは、これら表示プレート４に表示する表示内容、本実施例においては、識別番号（ＩＤ）と、故人の氏名と、命日とを記入、若しくは彫り込みする場合に、本体ケース２全体を移動して記入若しくは彫り込みを実施する必要がなく、これら板状の表示プレート４に加工できるので、これらの作業の作業性を向上できることから好ましいが、本発明はこれに限定されるものではなく、これら表示プレート４や表示プレート４を着脱可能とするためのプレート装着部５を設けることなく、側面２ｃに直接、識別番号（ＩＤ）と、故人の氏名と、命日等の、収納される粉砕骨に関する情報を表示するようにしても良い。
【００３１】
以下、本実施例の粉砕骨収納箱１の使用態様について以下に説明すると、まず、遺骨は、前述した骨粉砕装置等により、粗粉砕される。この際、粉砕粒度としては、散骨のように、１ｍｍ以下とする必要がないので、収納に問題のないレベル、例えば１０ｍｍ以下程度に粗粉砕すれば良く、装置によらず、人的に粉砕を実施しても良い。
【００３２】
そして、これら粗粉砕した粉砕骨を前述したポリエチレン製の粉砕骨袋に移した後、該粉砕骨袋内部の空気を脱気して溶着シールして密閉する。この脱気に際して、あまりにも低圧に脱気すると、脱気後の粉砕骨袋が変形不能な程、固くなってしまうので、適宜に変形できる程度に脱気することが好ましい。
【００３３】
そして、これら脱気後の粉砕骨袋を、仕切版８の一方面の四隅部に形成されている粘着部１０の表面に貼り付けられている離型紙を取り除いて貼り付けた後、該粉砕骨袋が貼り付けられた仕切版８の両端部を、３本のスライド溝部９の内、貼り付けられている粉砕骨袋の大きさに応じたスライド溝部９に挿入して、粉砕骨袋とともに本体ケース２の中空内部に格納する。
【００３４】
そして、仕切版８の粉砕骨袋が貼り付けられている側と反対側に形成される記録媒体収納部１５に、該収納されている粉砕骨袋に内在された粉砕骨に関する記録媒体である、故人に関する書類や遺骨の火葬等に関する書類等やこれら書類の電子データを記憶したＣＤＲＯＭやメモリカード等の記録媒体を格納する。
【００３５】
そして、予め識別番号（ＩＤ）と、故人の氏名と、命日等を記入した表示プレート４をプレート装着部５に装着した後、嵌合部７に蓋体３を装着して開口６を塞いで、本体ケース２内部を密閉する。
【００３６】
尚、これら蓋体３の装着後において、必要に応じて封緘シール等を貼着して、蓋体３の開放の有無を判別できるようにしても良い。
【００３７】
そして、これら粉砕骨袋並びに記録媒体が収納され、蓋体３が装着さえた粉砕骨収納箱１は、図４に示すように、収納棚２０において、本体ケース２の狭幅となる方向において対向する両側面、つまり、側面２ａ，２ｂが、隣接する粉砕骨収納箱１の側面２ａ，２ｂやと当接するように配列することで、隣接する他の粉砕骨収納箱１との間に無駄なスペースを生じることなく、多数の粉砕骨収納箱１を収納棚２０に収納することができるようになる。
【００３８】
そして、遺骨の引き取り者等が現れた等により、これら粉砕骨収納箱１を収納棚２０から取り出す際には、取り出し対象の粉砕骨収納箱１がどの粉砕骨収納箱１であるかを、表示プレート４の表示を確認して容易に特定でき、該特定した粉砕骨収納箱１の舌部１１を引くことにより、収納棚２０において隙間無く隣接して収納されている粉砕骨収納箱１から、所望の粉砕骨収納箱１を容易に引き出すことができる。
【００３９】
以上、本実施例によれば、粉砕骨収納部１６に粉砕骨Ｋを内在する粉砕骨袋を収納し、記録媒体収納部１５に故人の情報書類等の記録媒体を収納して、これら粉砕骨と情報書類等の記録媒体とを合わせて保管・管理できるとともに、これら粉砕骨収納箱１を成す本体ケース２の狭幅となる方向において対向する両側面２ａ，３ａ、２ｂ，３ｂがほぼ平坦かつ面一であるので、これら粉砕骨と情報書類等の記録媒体とが収納された粉砕骨収納箱１を冊子的に取り扱うことが可能となり、多数の粉砕骨収納箱１を前記側面が当接するように配列することで、緻密に格納整理して保管できるようになり、よって、火葬した遺骨や愛玩動物の骨等の粉砕骨を、省スペースにて管理・保管することが可能となる。
【００４０】
また、本実施例によれば、蓋体３を開放することなく、粉砕骨収納部１に収納される粉砕骨Ｋに関する有る程度の情報を、表示プレート４の表示によって把握することができ、管理の利便性を向上できる。
【００４１】
また、本実施例によれば、不透明な材料を使用することで、保管されている粉砕骨Ｋや故人の情報書類である記録媒体等が外部から見えてしまうことを防止でき、これら粉砕骨や故人の情報書類等が目視できることに伴う不都合の発生を回避できる。
【００４２】
また、本実施例によれば、粉砕骨収納部への粉砕骨の収納並びに取り出しを、容易に行うことができる。
【００４３】
また、本実施例によれば、粉砕骨収納箱が並列格納されている状態においても、引き出し部を有することで、所望の粉砕骨収納箱を容易に引き出すことができる。
【００４４】
また、本実施例によれば、情報表示板を本体ケースから取外して、情報の書き込みや書き換え等を実施できるので、これら情報の書き込みや書き換え作業の作業性を向上できる。
【００４５】
以上、本考案の実施例を図面により説明してきたが、具体的な構成はこれら実施例に限られるものではなく、本考案の要旨を逸脱しない範囲における変更や追加があっても本考案に含まれる。
【００４６】
例えば、前記実施例では、収納棚２０からの粉砕骨収納箱１の引き出しを容易にするための舌部１１を設けているが、本発明はこれに限定されるものではなく、例えば、収納棚２０に収納された粉砕骨収納箱１の上部に、手を差し込める十分な空間を確保して収納できる場合等においては、これら舌部１１を有しない構成としても良い。
【００４７】
また、前記実施例では、本発明の引き出し部を舌部１１にて形成しているが、本発明はこれに限定されるものではなく、これら引き出し部を、例えば、本体ケース２の側面２ｃの両側辺の一部に、切欠部を設けることで引き出し部を形成するようにしても良く、これら引き出し部としては、並列収納された粉砕骨収納箱１の引き出しを容易にするための部位であれば、その形態等は適宜に選択すれば良い。
【００４８】
また、前記実施例においては、仕切版８をスライド自在としているが、本発明はこれに限定されるものではなく、これら仕切版８が固定されているものであっても良い。
【００４９】
また、前記実施例においては、スライド溝部９を３本の溝にて形成しているが、本発明はこれに限定されるものではなく、これらスライド溝部９を一本のみ形成するようにしても良い。
【００５０】
また、前記実施例においては、粉砕骨収納部１６に粉砕骨袋のみを収納しているが、本発明はこれに限定されるものではなく、これら粉砕骨袋に加えて、これら粉砕骨袋に内在されている粉砕骨は、粉砕により比表面積が大きく、吸湿しやすいので、これら粉砕骨の吸湿を防止するための乾燥剤等を収納するようにしても良い。
【００５１】
また、前記実施例においては、情報表示部となる表示プレート４に、粉砕骨収納部１６に収納される粉砕骨Ｋに関する情報として、識別番号（ＩＤ）と、故人の氏名と、命日を表示するようにしているが、本発明はこれに限定されるものではなく、これら粉砕骨Ｋに関する情報の種別として、その他の情報を表示しても良いし、或いは、これらの情報を表示しない構成としても良い。
【００５２】
また、前記実施例においては、表示プレート４を使用しているが、これらの情報を印刷したシールを、側面２ｃに貼着して情報表示部を形成しても良い。
【図面の簡単な説明】
【００５３】
【図１】本考案の実施例における粉砕骨収納箱１の全体像を示す斜視図である。
【図２】本考案の実施例における粉砕骨収納箱１の構成を示す分解斜視図である。
【図３】本考案の実施例における粉砕骨収納箱１の使用状態を示す図である。
【図４】本考案の実施例における粉砕骨収納箱１の収納状態を示す図である。
【符号の説明】
【００５４】
１        粉砕骨収納部
２        本体ケース
３        蓋体
４        表示プレート
５        プレート装着部
６        開口
７        嵌合部
８        仕切版
９        スライド溝部
１０      粘着部
１１      舌部
１３      開口
１４      排気孔
１５      記録媒体収納部
１６      粉砕骨収納部
２０      収納棚
【図１】
0003130649.tif 000003
【図２】
0003130649.tif 000004
【図３】
0003130649.tif 000005
【図４】
0003130649.tif 000006